(57)【要約】【課題】測定器を使用することなく、干渉波の大きさを得ること。【解決手段】本発明の無線通信装置（２１）は、送信フィルタ（５１）と、受信フィルタ（５２）と、送信フィルタ（５１）を通過しアンテナ（１１）から送信される送信信号とアンテナ（１１）で受信された受信信号とを分離するサーキュレータ（４１）と、受信信号のうち受信フィルタ（５２）を通過した希望波受信信号を検波する検波器（６１）と、受信信号のうち受信フィルタ（５２）で反射された干渉波受信信号を検波する検波器（６２）と、を備える。【選択図】図７
2017079366.tif 000002
【特許請求の範囲】
【請求項１】
送信フィルタと、
受信フィルタと、
前記送信フィルタを通過しアンテナから送信される送信信号と前記アンテナで受信された受信信号とを分離する第１のサーキュレータと、
前記受信信号のうち前記受信フィルタを通過した希望波受信信号を検波する第１の検波器と、
前記受信信号のうち前記受信フィルタで反射された干渉波受信信号を検波する第２の検波器と、を備える無線通信装置。
【請求項２】
前記第１のサーキュレータで分離された受信信号を前記受信フィルタに伝送すると共に、前記受信フィルタで反射された干渉波受信信号を前記第２の検波器に伝送する第２のサーキュレータをさらに備える、請求項１に記載の無線通信装置。
【請求項３】
前記受信フィルタと前記第１の検波器との間に設けられ、前記受信フィルタを通過した希望波受信信号を無線周波数から中間周波数にダウンコンバートするミキサをさらに備える、請求項１又は２に記載の無線通信装置。
【請求項４】
前記第１の検波器で検波された希望波受信信号の検波電圧を希望波レベルに変換すると共に、前記第２の検波器で検波された干渉波受信信号の検波電圧を干渉波レベルに変換する制御回路と、
前記希望波レベル及び前記干渉波レベルを出力するインターフェースと、をさらに備える、請求項１から３のいずれか１項に記載の無線通信装置。
【請求項５】
アンテナから送信される送信信号と前記アンテナで受信された受信信号とを分離すると共に、該分離した受信信号を通過させる受信側通過帯域が可変であるデュプレクサと、
前記デュプレクサを通過した受信信号を検波する検波器と、を備え、
前記デュプレクサの前記受信側通過帯域を変化させて、前記検波器で希望波受信信号及び干渉波受信信号を検波する、無線通信装置。
【請求項６】
前記デュプレクサは、
送信フィルタと、
前記受信側通過帯域を有する受信フィルタと、
前記送信フィルタを通過し前記アンテナから送信される送信信号と前記アンテナで受信された受信信号とを分離し、該分離した受信信号を前記受信フィルタに伝送するサーキュレータと、を備える、請求項５に記載の無線通信装置。
【請求項７】
前記デュプレクサは、
送信フィルタと、
前記受信側通過帯域を有する受信フィルタと、を備え、
前記送信フィルタを通過し前記アンテナから送信される送信信号と前記アンテナで受信された受信信号とを分離し、該分離した受信信号を前記受信フィルタに伝送する、請求項５に記載の無線通信装置。
【請求項８】
前記デュプレクサと前記検波器との間に設けられ、前記デュプレクサを通過した受信信号を無線周波数から中間周波数にダウンコンバートするミキサをさらに備える、請求項５から７のいずれか１項に記載の無線通信装置。
【請求項９】
前記検波器で検波された希望波受信信号の検波電圧を希望波レベルに変換すると共に、前記検波器で検波された干渉波受信信号の検波電圧を干渉波レベルに変換する制御回路と、
前記希望波レベル及び前記干渉波レベルを出力するインターフェースと、をさらに備える、請求項５から８のいずれか１項に記載の無線通信装置。
【請求項１０】
受信フィルタと、
アンテナで受信された受信信号のうち前記受信フィルタを通過した希望波受信信号を検波する第１の検波器と、
前記受信信号のうち前記受信フィルタで反射された干渉波受信信号を検波する第２の検波器と、を備える無線通信装置。
【請求項１１】
通過帯域が可変であるフィルタと、
前記フィルタを通過した受信信号を検波する検波器と、を備え、
前記フィルタの前記通過帯域を変化させて、前記検波器で希望波受信信号及び干渉波受信信号を検波する、無線通信装置。
【請求項１２】
前記無線通信装置は、屋外に設置される、請求項１から１１のいずれか１項に記載の無線通信装置。
【請求項１３】
アンテナから送信される送信信号と前記アンテナで受信された受信信号とを分離し、
前記受信信号のうち受信フィルタを通過した希望波受信信号を第１の検波器で検波し、
前記受信信号のうち前記受信フィルタで反射された干渉波受信信号を第２の検波器で検波する、無線通信方法。
【請求項１４】
アンテナから送信される送信信号と前記アンテナで受信された受信信号とを分離し、
デュプレクサにおける前記受信信号を通過させる受信側通過帯域を変化させて、前記デュプレクサに希望波受信信号及び干渉波受信信号を通過させ、
前記デュプレクサを通過した前記希望波受信信号及び前記干渉波受信信号を検波器で検波する、無線通信方法。
【発明の詳細な説明】
【技術分野】
【０００１】
本発明は、無線通信装置及び無線通信方法に関する。
【背景技術】
【０００２】
マイクロ波又はミリ波を用いたポイントツーポイント（Point-to-Point）無線システムが知られている。ポイントツーポイント無線システムでは、２つの通信機器がポイントツーポイント無線リンクを介して無線通信を行う。
【０００３】
ポイントツーポイント無線システムを構成する通信機器の例としては、屋外に設置されるアンテナ及びＯＤＵ（Outdoor Unit)と、屋内に設置されるＩＤＵ（Indoor Unit）と、を備えた通信機器が挙げられる。ＯＤＵは、ＲＦ（Radio frequency）周波数帯域でのアナログ信号処理、例えば、周波数アップ／ダウンコンバートおよび増幅を行う。一方、ＩＤＵは、ベースバンド帯域でのデジタル信号処理、例えば、伝送路符号化／復号化、インタリーブ／デインタリーブ、及び変復調を行う。ここで、ＯＤＵは、対向機との間で無線通信を行うことから、無線通信装置と呼ぶこともできる。
【０００４】
ところで、ＯＤＵなどの無線通信装置を屋外に設置する場合の設置場所としては、無線通信の通信品質を確保するため、希望波が到達できることに加えて、干渉波が無い若しくは干渉波レベルが非常に小さいことが要求される。ただし、無線通信装置は、干渉波がある設置場所での使用も考慮して、一般的には、干渉波に対して一定の耐力を有するように設計されている。例えば、無線通信装置は、希望波レベル＋３０ｄＢまでの干渉波に対して、耐力を有するように設計することがある。
【０００５】
しかし、干渉波に対して耐力を有するように無線通信装置を設計したとしても、無線通信装置の設置場所に到来している干渉波の大きさが分からなければ、その設置場所での干渉波に対して無線通信装置が耐えられるか否かを判定することはできない。
【０００６】
無線通信装置の設置場所での干渉波の大きさを得るための技術としては、特許文献１に記載された技術が挙げられる。特許文献１に記載された技術においては、無線通信装置に受信された受信信号のうち所望の周波数の信号（希望波）については、ＢＰＦ（Band Pass Filter：帯域通過フィルタ）を通過させ、検波器で検波を行う。一方、受信信号のうち希望波以外の干渉波については、干渉波モニター端子から出力し、干渉波モニター端子に接続されたスペクトラムアナライザーで干渉波レベルをモニターする。
【先行技術文献】
【特許文献】
【０００７】
【特許文献１】特開２００１−０７７６１４号公報
【発明の概要】
【発明が解決しようとする課題】
【０００８】
上述したように、特許文献１に記載された技術は、無線通信装置の設置場所での干渉波の大きさを得るためには、その設置場所にスペクトラムアナライザーを持ち込まなければならない。しかし、無線通信装置の設置場所は、無線通信の通信品質を確保するために、鉄塔などの高所であることが多く、そのような場所でスペクトラムアナライザーなどの測定器を使用することは困難である。
【０００９】
そこで本発明の目的は、上述した課題を解決し、スペクトラムアナライザーなどの測定器を使用することなく、干渉波の大きさを得ることができる無線通信装置及び無線通信方法を提供することにある。
【課題を解決するための手段】
【００１０】
一態様において、無線通信装置は、
送信フィルタと、
受信フィルタと、
前記送信フィルタを通過しアンテナから送信される送信信号と前記アンテナで受信された受信信号とを分離する第１のサーキュレータと、
前記受信信号のうち前記受信フィルタを通過した希望波受信信号を検波する第１の検波器と、
前記受信信号のうち前記受信フィルタで反射された干渉波受信信号を検波する第２の検波器と、を備える。
【００１１】
他の態様において、無線通信装置は、
アンテナから送信される送信信号と前記アンテナで受信された受信信号とを分離すると共に、該分離した受信信号を通過させる受信側通過帯域が可変であるデュプレクサと、
前記デュプレクサを通過した受信信号を検波する検波器と、を備え、
前記デュプレクサの前記受信側通過帯域を変化させて、前記検波器で希望波受信信号及び干渉波受信信号を検波する。
【００１２】
さらに他の態様において、無線通信装置は、
受信フィルタと、
アンテナで受信された受信信号のうち前記受信フィルタを通過した希望波受信信号を検波する第１の検波器と、
前記受信信号のうち前記受信フィルタで反射された干渉波受信信号を検波する第２の検波器と、を備える。
【００１３】
さらに別の態様において、無線通信装置は、
通過帯域が可変であるフィルタと、
前記フィルタを通過した受信信号を検波する検波器と、を備え、
前記フィルタの前記通過帯域を変化させて、前記検波器で希望波受信信号及び干渉波受信信号を検波する。
【００１４】
一態様において、無線通信方法は、
アンテナから送信される送信信号と前記アンテナで受信された受信信号とを分離し、
前記受信信号のうち受信フィルタを通過した希望波受信信号を第１の検波器で検波し、
前記受信信号のうち前記受信フィルタで反射された干渉波受信信号を第２の検波器で検波する。
【００１５】
他の態様において、無線通信方法は、
アンテナから送信される送信信号と前記アンテナで受信された受信信号とを分離し、
デュプレクサにおける前記受信信号を通過させる受信側通過帯域を変化させて、前記デュプレクサに希望波受信信号及び干渉波受信信号を通過させ、
前記デュプレクサを通過した前記希望波受信信号及び前記干渉波受信信号を検波器で検波する。
【発明の効果】
【００１６】
上述の態様によれば、スペクトラムアナライザーなどの測定器を使用することなく、干渉波の大きさを得ることができるという効果が得られる。
【図面の簡単な説明】
【００１７】
【図１】実施の形態１にかかる無線通信装置の構成の一例を示す図である。
【図２】実施の形態１にかかる無線通信装置を設置する場合の動作の一例を示すフローチャートである。
【図３】実施の形態２にかかる無線通信装置の構成の一例を示す図である。
【図４】実施の形態２にかかる無線通信装置が干渉波受信信号を検波する場合の動作の一例を示すフローチャートである。
【図５】実施の形態３にかかる無線通信装置の構成の一例を示す図である。
【図６】実施の形態４にかかる無線通信装置の構成の一例を示す図である。
【図７】実施の形態５にかかる無線通信装置の構成の一例を示す図である。
【図８】実施の形態６にかかる無線通信装置の構成の一例を示す図である。
【図９】実施の形態１にかかる無線通信装置の構成の変形例を示す図である。
【図１０】実施の形態１にかかる無線通信装置の構成の変形例を示す図である。
【図１１】実施の形態３にかかる無線通信装置の構成の変形例を示す図である。
【発明を実施するための形態】
【００１８】
以下、図面を参照して本発明の実施の形態について説明する。なお、以下で説明する各図面において、同一又は対応する要素には同一の符号が付されており、説明の明確化のため、必要に応じて重複説明は省略される。
また、以下で説明する各実施の形態は、本発明の無線通信装置が、ポイントツーポイント無線システムを構成する通信機器に備わるＯＤＵである場合の例であるとする。
【００１９】
（１）実施の形態１
図１に、本実施の形態１にかかる無線通信装置としてのＯＤＵ２０１の構成の一例を示す。本実施の形態１にかかるＯＤＵ２０１は、屋外に、より具体的には鉄塔などの高所に、アンテナ１０１と共に設置され、マイクロ波又はミリ波を用いて、不図示の対向機と無線通信を行う無線通信装置である。また、本実施の形態１にかかるＯＤＵ２０１は、インターフェース３０１〜３０３と、サーキュレータ４０１，４０２と、ＢＰＦ５０１，５０２と、検波器６０１，６０２と、送信処理部７００と、受信処理部８００と、ＭＵＸ／ＤＥＭＵＸ（Multiplexer／Demultiplexer：マルチプレクサ／デマルチプレクサ）９０１と、制御回路１００１と、を備えている。
【００２０】
アンテナ１０１は、送信及び受信を共用するアンテナである。
インターフェース３０１は、アンテナ１０１と接続されるインターフェースである。
インターフェース３０２は、不図示の同軸ケーブルを介して不図示のＩＤＵと接続されるインターフェースである。一般的に、ＯＤＵ２０１は、上述したように、鉄塔などの高所に設置される。これに対して、ＩＤＵは屋内に設置される。ＯＤＵ２０１は、インターフェース３０２を介してＩＤＵとの間で、送信信号、受信信号、制御用コマンド、電源などの受け渡しを行う。
【００２１】
インターフェース３０３は、不図示のモニター機器と接続されるインターフェースである。インターフェース３０３は、希望波受信信号の希望波レベルに相当するＲＳＳＩ（Received Signal Strength Indicator：受信信号強度）をモニター機器でモニターするために、一般的なＯＤＵに備えられている。本実施の形態１においては、希望波レベルに加えて、干渉波レベルも、インターフェース３０３を介してモニター機器に出力し、モニター機器で希望波レベル及び干渉波レベルをモニターすることを可能としている。
【００２２】
ＭＵＸ／ＤＥＭＵＸ９０１は、ＩＤＵからインターフェース３０２を介して送信信号や制御用コマンドが入力された場合、これらを分波し、送信信号については送信処理部７００に出力し、制御用コマンドについては制御回路１００１に出力する。また、ＭＵＸ／ＤＥＭＵＸ９０１は、受信処理部８００から受信信号（後述の希望波受信信号）が出力された場合や、制御回路１００１から制御用コマンドが出力された場合は、これらを合波して、インターフェース３０２を介してＩＤＵに出力する。なお、制御用コマンドは、送信信号及び受信信号とは周波数が異なっている（制御用コマンドの周波数は、例えば、１０ＭＨｚ程度）。これにより、ＭＵＸ／ＤＥＭＵＸ９０１は、制御用コマンドを、送信信号及び受信信号とは区別して、分波及び合波することが可能になっている。
【００２３】
送信処理部７００は、アンプ７０１と、ミキサ７０２と、発振器７０３と、ＢＰＦ７０４と、を備えている。送信処理部７００においては、ＭＵＸ／ＤＥＭＵＸ９０１から出力された送信信号は、ＢＰＦ７０４で帯域選択され、発振器７０３で発生したローカル周波数の発振信号とミキサ７０２でミキシングされることでＲＦ周波数（無線周波数）にアップコンバートされ、アンプ７０１で増幅された後、ＢＰＦ５０１に出力される。なお、送信処理部７００は、ＭＵＸ／ＤＥＭＵＸ９０１とＢＰＦ７０４との間に、アンプ及びＢＰＦの組をさらに追加し、送信信号をさらに増幅する構成としても良い。
【００２４】
ＢＰＦ５０１は、送信信号の所望の周波数帯域に対応する所定の通過帯域（送信側通過帯域）を有する送信フィルタであって、送信処理部７００とサーキュレータ４０１との間に接続されている。ＢＰＦ５０１は、送信処理部７００から出力された送信信号のうち、通過帯域内の送信信号を通過させる。ＢＰＦ５０１を通過した送信信号は、サーキュレータ４０１に出力される。
【００２５】
サーキュレータ４０１は、ＢＰＦ５０１とサーキュレータ４０２との間に接続されると共に、インターフェース３０１に接続されており、ＢＰＦ５０１を通過しアンテナ１０１から送信される送信信号とアンテナ１０１で受信された受信信号とを分離する第１のサーキュレータである。具体的には、サーキュレータ４０１は、ＢＰＦ５０１を通過した送信信号を、インターフェース３０１を介してアンテナ１０１へ伝送する。この送信信号は、アンテナ１０１から対向機へ送信される。また、サーキュレータ４０１は、アンテナ１０１で受信され、インターフェース３０１を介して入力された受信信号を、サーキュレータ４０２へ伝送する。
【００２６】
サーキュレータ４０２は、サーキュレータ４０１とＢＰＦ５０２との間に接続されると共に、検波器６０２に接続された第２のサーキュレータである。サーキュレータ４０２は、サーキュレータ４０１から伝送された受信信号をＢＰＦ５０２に伝送する。また、サーキュレータ４０２は、ＢＰＦ５０２に伝送した受信信号のうち、ＢＰＦ５０２で反射された受信信号（干渉波受信信号）を検波器６０２に伝送する。
【００２７】
ＢＰＦ５０２は、希望波受信信号の周波数帯域に対応する所定の通過帯域（受信側通過帯域）を有する受信フィルタであって、サーキュレータ４０２と受信処理部８００との間に接続されている。ＢＰＦ５０２は、サーキュレータ４０２から伝送された受信信号のうち、通過帯域内の受信信号（希望波受信信号）を通過させる。ＢＰＦ５０２を通過した希望波受信信号は、受信処理部８００に出力される。
【００２８】
受信処理部８００は、アンプ８０１と、ミキサ８０２と、発振器８０３と、ＢＰＦ８０４と、カプラ８０５と、を備えている。受信処理部８００においては、ＢＰＦ５０２を通過した希望波受信信号は、アンプ８０１で増幅され、発振器８０３で発生したローカル周波数の発振信号とミキサ８０２でミキシングされることでＩＦ（Intermediate Frequency）周波数（中間周波数）にダウンコンバートされ、ＢＰＦ８０４で帯域選択された後、カプラ８０５によって検波器６０１及びＭＵＸ／ＤＥＭＵＸ９０１に分配出力される。なお、受信処理部８００は、ＢＰＦ８０４とカプラ８０５との間に、アンプ及びＢＰＦの組をさらに追加し、希望波受信信号をさらに増幅する構成としても良い。
【００２９】
検波器６０１は、受信処理部８００に接続され、受信処理部８００から出力された希望波受信信号を検波する第１の検波器であり、ダイオードを用いて構成されている。検波器６０１で検波された希望波受信信号の検波電圧は制御回路１００１に出力される。
【００３０】
検波器６０２は、サーキュレータ４０２に接続され、サーキュレータ４０２から伝送された干渉波受信信号を検波する第２の検波器であり、ダイオードを用いて構成されている。検波器６０２で検波された干渉波受信信号の検波電圧は制御回路１００１に出力される。
【００３１】
ここで、検波器６０２は、均一な周波数平坦性を有しているとする。周波数平坦性は、検波器６０２を構成するダイオードの特性を踏まえると、容易に実現可能である。本実施の形態１においては、検波器６０２は、希望波受信信号の周波数帯域以外の周波数帯域の受信信号を広帯域に検波してしまう。しかし、検波器６０２は、周波数平坦性を有しているため、検波器６０２で検波された検波電圧に応じた干渉波レベルを、広帯域に分布する干渉波の総電力を表すものとして扱うことができる。
【００３２】
制御回路１００１は、演算処理部１００２と、メモリ１００３と、を備えている。メモリ１００３は、検波器６０１，６０２で検波された検波電圧を電圧電力変換するためのパラメータを保持している。このパラメータは、周波数依存性が高く、メモリ１００３は、周波数に応じたパラメータを保持している。演算処理部１００２は、インターフェース３０２を介してＩＤＵとの間で制御用コマンドを送受信し、ＩＤＵからの制御用コマンドに従って動作を行う。ＩＤＵからの制御用コマンドは、送信信号の送信及び送信の停止、検波器６０１又は６０２の選択、ＩＤＵへの希望波レベル又は干渉波レベルの出力等を指示するコマンドである。
【００３３】
例えば、ＩＤＵからの制御用コマンドが、検波器６０１又は６０２のどちらかを指示するものである場合、演算処理部１００２は、その制御用コマンドに従って、検波器６０１又は６０２を選択する。演算処理部１００２は、検波器６０１を選択した場合、メモリ１００３に保持されたパラメータに基づいて、検波器６０１で検波された希望波受信信号の検波電圧を希望波レベルに電圧電力変換し、希望波レベルをインターフェース３０３を介してモニター機器に出力する。一方、演算処理部１００２は、検波器６０２を選択した場合、メモリ１００３に保持されたパラメータに基づいて、検波器６０２で検波された干渉波受信信号の検波電圧を干渉波レベルに電圧電力変換し、干渉波レベルをインターフェース３０３を介してモニター機器に出力する。
【００３４】
また、ＩＤＵからの制御用コマンドが、希望波レベル又は干渉波レベルをＩＤＵへ出力することを指示するものである場合、演算処理部１００２は、その制御用コマンドに従って、モニター機器に出力した希望波レベル又は干渉波レベルを、インターフェース３０２を介してＩＤＵにも出力する。
【００３５】
なお、演算処理部１００２における上記の動作は一例であって、演算処理部１００２は、上記の動作以外にも、ＩＤＵからの制御用コマンドに従って、ＯＤＵ２０１内の構成要素を制御して、各種の動作を行うものとする。
【００３６】
以下、本実施の形態１にかかるＯＤＵ２０１において、受信信号を受信した場合の動作の一例を説明する。
アンテナ１０１で受信された受信信号は、サーキュレータ４０１，４０２を介してＢＰＦ５０２へ伝送される。ＢＰＦ５０２は、希望波受信信号の周波数帯域を選択するためのフィルタであり、希望波受信信号の周波数帯域に対応する通過帯域を有している。そのため、希望波受信信号はＢＰＦ５０２を通過するが、希望波受信信号の周波数帯域以外の周波数帯域の干渉波受信信号はＢＰＦ５０２で反射される。
【００３７】
ＢＰＦ５０２を通過した希望波受信信号は、アンプ８０１で増幅され、ミキサ８０２でＩＦ周波数へダウンコンバートされ、ＢＰＦ８０４で帯域選択された後、カプラ８０５により検波器６０１及びＭＵＸ／ＤＥＭＵＸ９０１に分配出力される。ＭＵＸ／ＤＥＭＵＸ９０１は、希望波受信信号を、インターフェース３０２を介してＩＤＵに出力する。また、検波器６０１は、希望波受信信号を検波し、その検波電圧を制御回路１００１に出力する。
【００３８】
一方、ＢＰＦ５０２で反射された干渉波受信信号は、サーキュレータ４０２により検波器６０２へ伝送される。検波器６０２は、干渉波受信信号を検波し、その検波電圧を制御回路１００１に出力する。
【００３９】
演算処理部１００２は、ＩＤＵからの制御用コマンドに従って、検波器６０１又は６０２のどちらかを選択し、選択した検波器６０１又は６０２で検波された検波電圧を、希望波レベル又は干渉波レベルに電圧電力変換し、希望波レベル又は干渉波レベルをインターフェース３０３を介してモニター機器に出力する。
【００４０】
また、演算処理部１００２は、ＩＤＵからの制御用コマンドによって、希望波レベル又は干渉波レベルをＩＤＵへ出力することが指示されている場合、モニター機器に出力した希望波レベル又は干渉波レベルを、インターフェース３０２を介してＩＤＵにも出力する。
【００４１】
以下、本実施の形態１にかかるＯＤＵ２０１及びアンテナ１０１を設置する場合の動作の一例を、図２を参照して説明する。ここでは、対向機及びその対向機に接続されるアンテナについては適切な設置場所に既に設置されているものとする。
【００４２】
まず、ＩＤＵは、送信信号をＯＤＵ２０１に出力すると共に、その送信信号を対向機へ送信することを指示する制御用コマンドをＯＤＵ２０１に出力する。これを受けて、ＯＤＵ２０１では、ＩＤＵからの送信信号を、送信処理部７００及びＢＰＦ５０１で処理した後、アンテナ１０１から対向機へ送信する。このとき、ＯＤＵ２０１は、対向機を制御して、対向機側からもＯＤＵ２０１へ送信信号を送信させる（ステップＡ１０１）。なお。対向機を制御する方法は、制御信号を送信信号に含めて対向機に送信する等、任意の方法で構わない（以下、同じ）。これにより、ＯＤＵ２０１では希望波受信信号を受信できるようになる。
【００４３】
続いて、ＩＤＵは、希望波受信信号を検波する検波器６０１を選択することを指示する制御用コマンドをＯＤＵ２０１に出力する。これを受けて、ＯＤＵ２０１では、演算処理部１００２は、検波器６０１を選択する（ステップＡ１０２）。
【００４４】
続いて、ＩＤＵは、ＯＤＵ２０１及びアンテナ１０１を設置するか、又は、現在の設置場所を調整することを作業者に報知する（ステップＡ１０３）。ＩＤＵが作業者に報知を行う方法は、音声出力、表示出力、作業者が所持する端末への報知信号の送信等、任意の方法で構わない（以下、同じ）。この報知を確認した作業者は、ＯＤＵ２０１及びアンテナ１０１を設置するか、又は、現在の設置場所を調整する。
【００４５】
このとき、ＯＤＵ２０１及び対向機の双方が送信信号を送信しているため、アンテナ１０１には、希望波受信信号が受信される。ＯＤＵ２０１では、この希望波受信信号は、ＢＰＦ５０２を通過し、受信処理部８００で処理された後、検波器６０１に到達する。また、ＯＤＵ２０１では、演算処理部１００２は、検波器６０１を選択している。
【００４６】
そのため、以降、ＯＤＵ２０１では、演算処理部１００２は、検波器６０１で検波された希望波受信信号の検波電圧を希望波レベルに電圧電力変換し、希望波レベルをモニター機器に出力する（ステップＡ１０４）。なお、ここでは、ＩＤＵは、希望波レベルをＩＤＵに出力することを指示する制御用コマンドをＯＤＵ２０１に出力しているとする。これを受けて、ＯＤＵ２０１では、演算処理部１００２は、希望波レベルをＩＤＵにも出力するものとする。
【００４７】
続いて、ＩＤＵは、希望波レベルが所望の値を満足しているか否かを判定する（ステップＡ１０５）。ステップＡ１０５において、希望波レベルが所望の値を満足していない場合（ステップＡ１０５のＮｏ）、ステップＡ１０３に戻って、ＩＤＵは、ＯＤＵ２０１及びアンテナ１０１の現在の設置場所を調整することを作業者に報知する。この報知を確認した作業者は、ＯＤＵ２０１及びアンテナ１０１の現在の設置場所を調整する。
【００４８】
一方、ステップＡ１０５において、希望波レベルが所望の値を満足している場合（ステップＡ１０５のＹｅｓ）、ＩＤＵは、ＯＤＵ２０１への送信信号の出力を停止すると共に、対向機への送信信号の送信を停止することを指示する制御用コマンドをＯＤＵ２０１に出力する。これを受けて、ＯＤＵ２０１では、対向機への送信信号の送信を停止する。このとき、ＯＤＵ２０１では、対向機を制御して、対向機側からＯＤＵ２０１への送信信号の送信も停止させる（ステップＡ１０６）。
【００４９】
続いて、ＩＤＵは、干渉波受信信号を検波する検波器６０２を選択することを指示する制御用コマンドをＯＤＵ２０１に出力する。これを受けて、ＯＤＵ２０１では、演算処理部１００２は、検波器６０２を選択する（ステップＡ１０７）。
【００５０】
このとき、ＯＤＵ２０１及び対向機の双方が送信信号の送信を停止しているため、アンテナ１０１には、希望波受信信号が受信されず、ＯＤＵ２０１の設置場所に干渉波があれば、干渉波受信信号のみが受信される。ＯＤＵ２０１では、この干渉波受信信号は、ＢＰＦ５０２で反射され、検波器６０２に到達する。また、ＯＤＵ２０１では、演算処理部１００２は、検波器６０２を選択している。
【００５１】
そのため、以降、ＯＤＵ２０１では、演算処理部１００２は、検波器６０２で検波された干渉波受信信号の検波電圧を干渉波レベルに電圧電力変換し、干渉波レベルをモニター機器に出力する（ステップＡ１０８）。このとき、希望波受信信号が受信されていないため、検波器６０２では、希望波受信信号の影響を受けずに、干渉波受信信号を高精度に検波可能である。なお、ここでは、ＩＤＵは、干渉波レベルをＩＤＵに出力することを指示する制御用コマンドをＯＤＵ２０１に出力しているとする。これを受けて、ＯＤＵ２０１では、演算処理部１００２は、干渉波レベルをＩＤＵにも出力するものとする。
【００５２】
続いて、ＩＤＵは、ステップＡ１０５で得られた希望波レベルと現在の干渉波レベルとに基づいて、ＳＩＲ（Signal to Interference Ratio：信号対干渉比）に相当する「希望波レベル／干渉波レベル」を算出し、算出した「希望波レベル／干渉波レベル」が所望の値を満足しているか否かを判定する（ステップＡ１０９）。ステップＡ１０９において、「希望波レベル／干渉波レベル」が所望の値を満足していない場合（ステップＡ１０９のＮｏ）、ステップＡ１０３に戻って、ＩＤＵは、ＯＤＵ２０１及びアンテナ１０１の現在の設置場所を調整することを作業者に報知する。この報知を確認した作業者は、ＯＤＵ２０１及びアンテナ１０１の現在の設置場所を調整する。
【００５３】
一方、ステップＡ１０９において、「希望波レベル／干渉波レベル」が所望の値を満足している場合（ステップＡ１０９のＹｅｓ）、ＩＤＵは、ＯＤＵ２０１及びアンテナ１０１の設置作業を終了することを作業者に報知する。
【００５４】
なお、図２においては、ＯＤＵ２０１は、希望波受信信号が受信されない状態で、干渉波受信信号を検波していたが、これには限定されない。本実施の形態１においては、希望波受信信号が受信されていても、干渉波受信信号は、ＢＰＦ５０２で反射されることから、検波器６０２で干渉波受信信号を検波することができる。そのため、干渉波受信信号を検波する際に、送信信号の送信は必ずしも停止する必要はない。ただし、干渉波受信信号を高精度に検波するには、希望波受信信号の影響を排除するため、送信信号の送信を停止するのが好適である。
【００５５】
また、図２においては、ＩＤＵが、ステップＳ１０５，Ｓ１０９の判定を行っていたが、これには限定されない。作業者は、ＯＤＵ２０１の設置場所にモニター機器を持ち込んで希望波レベル及び干渉波レベルをモニターできるため、ステップＳ１０５，Ｓ１０９の判定を作業者自身が行い、その判定結果がＮｏである場合は、ＩＤＵによる報知を省略して、ＯＤＵ２０１及びアンテナ１０１の現在の設置場所を調整しても良い。この場合、作業者による判定結果をＩＤＵに通知する必要があるが、その通知方法は、作業者が所持する端末から通知信号をＩＤＵに送信する等、任意の方法で構わない。
【００５６】
上述したように、本実施の形態１によれば、ＯＤＵ２０１は、ＢＰＦ５０２を通過した希望波受信信号を検波器６０１で検波するだけでなく、ＢＰＦ５０２で反射された干渉波受信信号を検波器６０２で検波する構成である。そのため、スペクトラムアナライザーなどの測定器を使用しなくても、検波器６０２で検波された干渉波受信信号の検波電圧によって、干渉波の大きさを得ることができる。
【００５７】
また、本実施の形態１によれば、ＯＤＵ２０１は、受信信号をミキサ８０２でＩＦ周波数にダウンコンバートする前に、受信信号を希望波受信信号と干渉波受信信号とに分離する構成である。そのため、干渉波受信信号を希望波受信信号と誤認してしまう可能性を低減することができる。以下、その理由を説明する。
【００５８】
上述した特許文献１に記載の技術によれば、受信信号をミキサでＩＦ周波数にダウンコンバートした後に、受信信号を希望波受信信号と干渉波受信信号とに分離している。しかし、受信信号をＩＦ周波数へダウンコンバートするモードは、次式で表せるように、無数に存在する。
ｍ×干渉波周波数−ｎ×ローカル周波数＝ＩＦ周波数
そのため、特許文献１に記載の技術のように、受信信号をＩＦ周波数にダウンコンバートした後に、受信信号を希望波受信信号と干渉波受信信号とに分離する場合、干渉波受信信号を希望波受信信号と誤認してしまう可能性がある。
【００５９】
これに対して本実施の形態１によれば、受信信号をＩＦ周波数にダウンコンバートする前に、受信信号を希望波受信信号と干渉波受信信号とに分離しているため、上記の誤認をしてしまう可能性を低減することができる。
【００６０】
また、本実施の形態１によれば、ＯＤＵ２０１は、干渉波レベルを出力するインターフェースとして、希望波レベル（ＲＳＳＩ）の出力用に一般的なＯＤＵに備えられているインターフェース３０３を兼用している。そのため、新たなインターフェースを追加することなく、希望波レベル及び干渉波レベルをインターフェース３０３を介してモニター機器に出力することができる。また、作業者は、これまでモニターしていた希望波レベルと同様の方法で、干渉波レベルをモニターすることができる。なお、作業者は、ＯＤＵ２０１の設置場所にモニター機器を持ち込んで、希望波レベル及び干渉波レベルをモニターすることになる。しかし、モニター機器は、希望波レベル及び干渉波レベルを単にモニターするための機器であるため、スペクトラムアナライザーなどの測定器のような複雑な操作は必要とされず、作業者は簡単な操作で希望波レベル及び干渉波レベルをモニターすることができる。前記モニター機器はＲＳＳＩ確認用を兼ねており、インターフェース３０３での出力仕様に適合するものであればよい。モニター機器の例として（軽量で持ち運び容易なハンディタイプの）電圧計が挙げられる。
【００６１】
また、本実施の形態１によれば、ＯＤＵ２０１は、ＩＤＵからの制御用コマンドによる指示に従って、希望波レベル及び干渉波レベルをインターフェース３０２を介してＩＤＵに出力することも行う。そのため、ＯＤＵ２０１の設置後に、設置場所での通信環境が変化したとしても、作業者がＯＤＵ２０１の設置場所に行かずに、希望波レベル及び干渉波レベルを確認することができる。
【００６２】
（２）実施の形態２
図３に、本実施の形態２にかかる無線通信装置としてのＯＤＵ２０１の構成の一例を示す。本実施の形態２にかかるＯＤＵ２０１は、図１の実施の形態１と比較して、サーキュレータ４０１，４０２、ＢＰＦ５０１，５０２、及び検波器６０２を削除し、その代わりにデュプレクサ（Duplexer。図中では「ＤＵＰ」と表記。以下、同じ）４５０を設けた構成になっている。
【００６３】
デュプレクサ４５０は、送信処理部７００と受信処理部８００との間に接続されると共に、インターフェース３０１に接続されており、アンテナ１０１から送信される送信信号とアンテナ１０１で受信された受信信号とを分離する。具体的には、デュプレクサ４５０は、送信処理部７００から出力された送信信号のうち、通過帯域（送信側通過帯域）内の送信信号を通過させて、インターフェース３０１を介してアンテナ１０１に伝送する。また、デュプレクサ４５０は、アンテナ１０１で受信され、インターフェース３０１を介して入力された受信信号のうち、通過帯域（受信側通過帯域）内の受信信号を通過させる。デュプレクサ４５０を通過した受信信号は、受信処理部８００に出力される。
【００６４】
また、デュプレクサ４５０の送信側及び受信側通過帯域は共に可変であり、電圧印加によって電気的に変化させることができる。その場合は、デュプレクサ４５０の送信側及び受信側通過帯域の中心周波数を、電圧印加によって電気的に変化させることになる。また、発振器７０３，８０３で発生する発振信号のローカル周波数も、電圧印加によって電気的に変化させることができる。そのため、デュプレクサ４５０の受信側通過帯域及び発振器８０３のローカル周波数を電気的に変化させることで、受信信号の受信周波数を変化させることができる。そこで、本実施の形態２においては、受信信号の受信周波数を、希望波受信信号又は干渉波受信信号の周波数帯域に変化させて、検波器６０１に希望波受信信号又は干渉波受信信号を出力する。
【００６５】
検波器６０１は、受信処理部８００から出力された希望波受信信号又は干渉波受信信号を検波する。検波器６０１で検波された希望波受信信号又は干渉波受信信号の検波電圧は共に、制御回路１００１に出力される。
【００６６】
なお、本実施の形態２においては、干渉波受信信号を検波する場合、スペクトラムアナライザーのように、受信周波数を所定の周波数範囲内で掃引するものとする。そのため、周波数毎の干渉波レベルを得ることができるだけでなく、干渉波の周波数分布を得ることができる。
【００６７】
以下、本実施の形態２にかかるＯＤＵ２０１が干渉波受信信号を検波する場合の動作の一例を、図４を参照して説明する。なお、図４に示される動作は、ＯＤＵ２０１及びアンテナ１０１を設置する場合に、図２のステップＡ１０８として行われる動作に相当する。
【００６８】
まず、ＩＤＵは、受信周波数を指示する制御用コマンドをＯＤＵ２０１に出力する（ステップＢ１０１）。これを受けて、ＯＤＵ２０１では、演算処理部１００２は、不図示の信号線を介して、デュプレクサ４５０の受信側通過帯域及び発振器８０３のローカル周波数を電気的に変化させて、受信信号の受信周波数を、制御用コマンドで指示された受信周波数に設定する（ステップＢ１０２）。
【００６９】
このとき、ＯＤＵ２０１では、デュプレクサ４５０を通過した干渉波受信信号は、アンプ８０１で増幅され、ミキサ８０２でＩＦ周波数へダウンコンバートされ、ＢＰＦ８０４で帯域選択され、カプラ８０５により検波器６０１に伝送され、検波器６０１で検波される（ステップＢ１０３）。続いて、ＯＤＵ２０１では、演算処理部１００２は、検波器６０１で検波された干渉波受信信号の検波電圧を干渉波レベルに電圧電力変換し、干渉波レベルをモニター機器に出力する（ステップＢ１０４）。
【００７０】
続いて、ＯＤＵ２０１では、演算処理部１００２は、ＩＤＵから、干渉波レベルをＩＤＵに出力することを指示する制御用コマンドが出力されているか否かを判定する（ステップＢ１０５）。ステップＢ１０５において、上記の制御用コマンドが出力されている場合（ステップＢ１０５のＹｅｓ）、演算処理部１００２は、干渉波レベルをＩＤＵにも出力する（ステップＢ１０６）。
【００７１】
続いて、ＩＤＵは、所定の周波数範囲内の受信周波数のうちで検波すべき他の受信周波数があるか否かを判定する（ステップＢ１０７）。ステップＢ１０７において、他の受信周波数がある場合（ステップＢ１０７のＹｅｓ）、ステップＢ１０１に戻って、ＩＤＵは、他の受信周波数を指示する制御用コマンドをＯＤＵ２０１に出力する。一方、ステップＢ１０７において、他の受信周波数がない場合（ステップＢ１０７のＮｏ）、処理を終了する。
【００７２】
上述したように、本実施の形態２によれば、ＯＤＵ２０１は、デュプレクサ４５０の受信側通過帯域及び発振器８０３のローカル周波数を変化させることで、受信周波数を変化させて、希望波受信信号だけでなく、干渉波受信信号を検波器６０１で検波する構成である。そのため、スペクトラムアナライザーなどの測定器を使用しなくても、検波器６０１で検波された干渉波受信信号の検波電圧によって、干渉波の大きさを得ることができる。
【００７３】
また、本実施の形態２によれば、ＯＤＵ２０１は、受信信号をミキサ８０２でＩＦ周波数にダウンコンバートする前に、受信信号を希望波受信信号と干渉波受信信号とに分離する構成である。そのため、干渉波受信信号を希望波受信信号と誤認してしまう可能性を低減することができる。
【００７４】
なお、本実施の形態２は、デュプレクサ４５０の送信側通過帯域を可変としたが、これには限定されない。本実施の形態２は、受信信号の受信周波数を変化させればよく、送信信号の送信周波数は必ずしも変化させる必要はない。そのため、デュプレクサ４５０の送信側通過帯域は、可変とせず、所定の通過帯域としても良い。
【００７５】
（３）実施の形態３
本実施の形態３は、実施の形態２のデュプレクサ４５０を具体化した変形例である。
図５に、本実施の形態３にかかる無線通信装置としてのＯＤＵ２０１の構成の一例を示す。本実施の形態３にかかるＯＤＵ２０１は、図３の実施の形態２のデュプレクサ４５０を、サーキュレータ４０１及びチューナブルＢＰＦ（チューナブル帯域通過フィルタ）５０３，５０４で具体化した構成になっている。
【００７６】
チューナブルＢＰＦ５０３は、可変の通過帯域（送信側通過帯域）を有する送信フィルタであって、送信処理部７００とサーキュレータ４０１との間に接続されている。チューナブルＢＰＦ５０３は、送信処理部７００から出力された送信信号のうち、現在設定されている通過帯域内の送信信号を通過させる。チューナブルＢＰＦ５０３を通過した送信信号は、サーキュレータ４０１に出力される。
【００７７】
サーキュレータ４０１は、チューナブルＢＰＦ５０３とチューナブルＢＰＦ５０４との間に接続されると共に、インターフェース３０１に接続されており、チューナブルＢＰＦ５０３を通過しアンテナ１０１から送信される送信信号とアンテナ１０１で受信された受信信号とを分離するサーキュレータである。具体的には、サーキュレータ４０１は、チューナブルＢＰＦ５０３を通過した送信信号を、インターフェース３０１を介してアンテナ１０１へ伝送する。この送信信号は、アンテナ１０１から対向機へ送信される。また、サーキュレータ４０１は、アンテナ１０１で受信され、インターフェース３０１を介して入力された受信信号をチューナブルＢＰＦ５０４へ伝送する。
【００７８】
チューナブルＢＰＦ５０４は、可変の通過帯域（受信側通過帯域）を有する受信フィルタであって、サーキュレータ４０１と受信処理部８００との間に接続されている。チューナブルＢＰＦ５０４は、サーキュレータ４０１から伝送された受信信号のうち、現在設定されている通過帯域内の受信信号を通過させる。チューナブルＢＰＦ５０４を通過した受信信号は、受信処理部８００に出力される。
【００７９】
ここで、チューナブルＢＰＦ５０３，５０４の構成について詳細に説明する。例えば、国際公開第２０１４／０６４９１１号に開示されたチューナブル帯域通過フィルタは、空胴共振器内に、一端が筐体と接続し他端が開放端となるように共振素子を配置し、空胴共振器を覆う導電性カバーと共振素子の開放端との間に可動導体を配置する。そして、可動導体を可動し、共振素子との間隔を変化させて、共振素子との容量を変化させることで、共振周波数を変化させている。チューナブルＢＰＦ５０３，５０４は、国際公開第２０１４／０６４９１１号に開示されたチューナブル帯域通過フィルタで構成することができる。これ以外にも、チューナブルＢＰＦ５０３，５０４は、通過帯域が電気的に変化するチューナブル帯域通過フィルタや、その他の任意のチューナブル帯域通過フィルタで構成することも可能である。
【００８０】
なお、本実施の形態３は、通過帯域が可変のチューナブルＢＰＦ５０３を設け、送信側通過帯域を可変としたが、これには限定されない。本実施の形態３は、受信信号の受信周波数を変化させればよく、送信信号の送信周波数は必ずしも変化させる必要はない。そのため、チューナブルＢＰＦ５０３の代わりに、所定の通過帯域を有するＢＰＦを設け、送信側通過帯域を所定の通過帯域としても良い。
また、本実施の形態３は、実施の形態２のデュプレクサ４５０を具体化した変形例であり、その他の構成、動作、効果に関しては、実施の形態２と同様であるため、説明を省略する。
【００８１】
（４）実施の形態４
本実施の形態４は、実施の形態２のデュプレクサ４５０を、実施の形態３とは別の構成で具体化した変形例である。
図６に、本実施の形態４にかかる無線通信装置としてのＯＤＵ２０１の構成の一例を示す。本実施の形態４にかかるＯＤＵ２０１は、図３の実施の形態２のデュプレクサ４５０を、チューナブルＢＰＦ５０５，５０６で具体化した構成になっている。
【００８２】
チューナブルＢＰＦ５０５は、可変の通過帯域（送信側通過帯域）を有する送信フィルタであって、送信処理部７００とインターフェース３０１との間に接続されている。チューナブルＢＰＦ５０５は、送信処理部７００から出力された送信信号のうち、現在設定されている通過帯域内の送信信号を通過させる。チューナブルＢＰＦ５０５を通過した送信信号は、インターフェース３０１に出力される。
【００８３】
チューナブルＢＰＦ５０６は、可変の通過帯域（受信側通過帯域）を有する受信フィルタであって、インターフェース３０１と受信処理部８００との間に接続されている。チューナブルＢＰＦ５０６は、アンテナ１０１で受信され、インターフェース３０１を介して入力された受信信号のうち、現在設定されている通過帯域内の受信信号を通過させる。チューナブルＢＰＦ５０４を通過した受信信号は、受信処理部８００に出力される。
【００８４】
なお、チューナブルＢＰＦ５０５，５０６は、国際公開第２０１４／０６４９１１号に開示されたチューナブル帯域通過フィルタで構成することができる。その他にも、チューナブルＢＰＦ５０５，５０６は、通過帯域が電気的に変化するチューナブル帯域通過フィルタ等の任意のチューナブル帯域通過フィルタで構成可能である。
【００８５】
本実施の形態４においては、チューナブルＢＰＦ５０５を通過しアンテナ１０１から送信される送信信号とアンテナ１０１で受信された受信信号とが分離される。具体的には、チューナブルＢＰＦ５０５を通過した送信信号は、インターフェース３０１を介してアンテナ１０１へ伝送される。この送信信号は、アンテナ１０１から対向機へ送信される。また、アンテナ１０１で受信され、インターフェース３０１を介して入力された受信信号は、チューナブルＢＰＦ５０６へ伝送される。
【００８６】
なお、本実施の形態４は、通過帯域が可変のチューナブルＢＰＦ５０５を設け、送信側通過帯域を可変としたが、これには限定されない。本実施の形態４は、受信信号の受信周波数を変化させればよく、送信信号の送信周波数は必ずしも変化させる必要はない。そのため、チューナブルＢＰＦ５０５の代わりに、所定の通過帯域を有するＢＰＦを設け、送信側通過帯域を所定の通過帯域としても良い。
また、本実施の形態４は、実施の形態２のデュプレクサ４５０を具体化した変形例であり、その他の構成、動作、効果に関しては、実施の形態２と同様であるため、説明を省略する。
【００８７】
（５）実施の形態５
本実施の形態５は、実施の形態１を概念的に示した実施の形態に相当する。
図７に、本実施の形態５にかかる無線通信装置２１の構成の一例を示す。本実施の形態５にかかる無線通信装置２１は、屋外に、より具体的には鉄塔などの高所に、アンテナ１１と共に設置され、マイクロ波又はミリ波を用いて、不図示の対向機と無線通信を行う無線通信装置である。また、本実施の形態５にかかる無線通信装置２１は、サーキュレータ４１と、送信フィルタ５１と、受信フィルタ５２と、検波器６１，６２と、を備えている。
【００８８】
アンテナ１１は、送信及び受信を共用するアンテナである。
送信フィルタ５１は、送信信号の所望の周波数帯域に対応する所定の通過帯域（送信側通過帯域）を有するＢＰＦを用いて構成され、通過帯域内の送信信号を通過させる。
【００８９】
サーキュレータ４１は、送信フィルタ５１と受信フィルタ５２との間に接続されると共に、アンテナ１１に接続された第１のサーキュレータであって、送信フィルタ５１を通過しアンテナ１１から送信される送信信号とアンテナ１１で受信された受信信号とを分離する。具体的には、サーキュレータ４１は、送信フィルタ５１を通過した送信信号をアンテナ１１へ伝送する。この送信信号は、アンテナ１１から対向機へ送信される。また、サーキュレータ４１は、アンテナ１１で受信された受信信号を、受信フィルタ５２へ伝送する。
【００９０】
受信フィルタ５２は、希望波受信信号の周波数帯域に対応する所定の通過帯域（受信側通過帯域）を有するＢＰＦを用いて構成され、サーキュレータ４１から伝送された受信信号のうち、通過帯域内の受信信号（希望波受信信号）を通過させる。
【００９１】
検波器６１は、サーキュレータ４１から伝送された受信信号のうち受信フィルタ５２を通過した希望波受信信号を検波する第１の検波器であり、ダイオードを用いて構成されている。
【００９２】
検波器６２は、サーキュレータ４１から伝送された受信信号のうち受信フィルタ５２で反射された受信信号（干渉波受信信号）を検波する第２の検波器であり、ダイオードを用いて構成されている。
【００９３】
上述したように、本実施の形態５によれば、無線通信装置２１は、受信フィルタ５２を通過した希望波受信信号を検波器６１で検波するだけでなく、受信フィルタ５２で反射された干渉波受信信号を検波器６２で検波する構成である。そのため、スペクトラムアナライザーなどの測定器を使用しなくても、検波器６２で検波された干渉波受信信号の検波電圧によって、干渉波の大きさを得ることができる。
【００９４】
（６）実施の形態６
本実施の形態６は、実施の形態２を概念的に示した実施の形態に相当する。
図８に、本実施の形態６にかかる無線通信装置２１の構成の一例を示す。本実施の形態８にかかる無線通信装置２１は、図７の実施の形態５と比較して、サーキュレータ４１、送信フィルタ５１、受信フィルタ５２、及び検波器６２を削除し、その代わりにデュプレクサ４５を設けた構成になっている。
【００９５】
デュプレクサ４５は、アンテナ１１から送信される送信信号とアンテナ１１で受信された受信信号とを分離する。具体的には、デュプレクサ４５は、通過帯域（送信側通過帯域）内の送信信号を通過させてアンテナ１１に伝送する。また、デュプレクサ４５は、アンテナ１０１で受信された受信信号のうち、通過帯域（受信側通過帯域）内の受信信号を通過させる。ここで、デュプレクサ４５の送信側及び受信側通過帯域のうち、少なくとも受信側通過帯域は可変である。そのため、デュプレクサ４５の受信側通過帯域を変化させることで、受信信号の受信周波数を変化させることができる。
【００９６】
そこで、本実施の形態６においては、受信信号の受信周波数を、希望波受信信号又は干渉波受信信号の周波数帯域に変化させることで、デュプレクサ４５に希望波受信信号又は干渉波受信信号を通過させて、検波器６１に出力する。
検波器６１は、デュプレクサ４５を通過した希望波受信信号又は干渉波受信信号を検波する。
【００９７】
上述したように、本実施の形態６によれば、無線通信装置２１は、デュプレクサ４５の受信側通過帯域を変化させることで、受信周波数を変化させて、希望波受信信号だけでなく、干渉波受信信号を検波器６１で検波する構成である。そのため、スペクトラムアナライザーなどの測定器を使用しなくても、検波器６１で検波された干渉波受信信号の検波電圧によって、干渉波の大きさを得ることができる。
【００９８】
なお、本発明は上記実施の形態に限られたものではなく、趣旨を逸脱しない範囲で適宜変更することが可能である。
【００９９】
例えば、実施の形態１においては、サーキュレータ４０１とＢＰＦ５０２との間にサーキュレータ４０２を設けていたが、図９に示されるように、図１からサーキュレータ４０２を除去した構成としても良い。
【０１００】
また、上記実施の形態においては、ＯＤＵ２０１及び無線通信装置２１が送信機能及び受信機能の双方を備えるものとして説明したが、これには限定されず、ＯＤＵ２０１及び無線通信装置２１は受信機能のみを備えたものであっても良い。以下、一例として、実施の形態１，２にかかるＯＤＵ２０１が受信機能のみを備える構成の例を説明する。
【０１０１】
図１０に、実施の形態１にかかるＯＤＵ２０１の変形例として、受信機能のみを備えるＯＤＵ２０１の構成の例を示す。図１０に示されるＯＤＵ２０１は、図１から、送信にかかる構成要素（ＢＰＦ５０１及び送信処理部７００）、サーキュレータ４０１，４０２、及びＭＵＸ／ＤＥＭＵＸ９０１を除去した構成に相当する。図１０に示されるＯＤＵ２０１は、ＢＰＦ５０２を通過した希望波受信信号を検波器６０１で検波し、ＢＰＦ５０２で反射された干渉波受信信号を検波器６０２で検波する構成である。そのため、実施の形態１と同様に、スペクトラムアナライザーなどの測定器を使用しなくても、干渉波の大きさを得ることができる。
【０１０２】
図１１に、実施の形態２にかかるＯＤＵ２０１の変形例として、受信機能のみを備えるＯＤＵ２０１の構成の例を示す。図１１に示されるＯＤＵ２０１は、図３から、送信にかかる構成要素（送信処理部７００）、デュプレクサ４５０、及びＭＵＸ／ＤＥＭＵＸ９０１を除去し、デュプレクサ４５０の位置に、図５に示されるチューナブルＢＰＦ５０４を追加した構成に相当する。図１１に示されるＯＤＵ２０１は、チューナブルＢＰＦ５０４の通過帯域を変化させることで、希望波受信信号及び干渉波受信信号を検波器６０１で検波する構成である。そのため、実施の形態２と同様に、スペクトラムアナライザーなどの測定器を使用しなくても、干渉波の大きさを得ることができる。
【０１０３】
また、上記実施の形態においては、本発明の無線通信装置の一例として、ＩＤＵとは分離して構成されたＯＤＵを示したが、これには限定されない。本発明は、ＯＤＵ及びＩＤＵの双方の機能を備え、ＯＤＵ及びＩＤＵを一体化した構成の無線通信装置に適用されても良い。
【０１０４】
また、上記実施の形態においては、本発明の無線通信装置が屋外に設置されるものとして説明したが、これには限定されない。本発明は、屋外に設置される無線通信装置に好適に適用されるが、屋内に設置される無線通信装置に適用されても良い。
【０１０５】
また、上記実施の形態においては、本発明の無線通信装置は、アンテナを外部接続するものとして説明したが、これには限定されない。本発明の無線通信装置は、アンテナを内部に備えるものであっても良い。
【符号の説明】
【０１０６】
１１  アンテナ
２１  無線通信装置
４１  サーキュレータ
４５  デュプレクサ
５１  送信フィルタ
５２  受信フィルタ
６１，６２  検波器
１０１  アンテナ
２０１  ＯＤＵ
３０１〜３０３  インターフェース
４０１，４０２  サーキュレータ
４５０  デュプレクサ
５０１，５０２  ＢＰＦ
５０３，５０４，５０５，５０６  チューナブルＢＰＦ
６０１，６０２  検波器
７００  送信処理部
７０１  アンプ
７０２  ミキサ
７０３  発振器
７０４  ＢＰＦ
８００  受信処理部
８０１  アンプ
８０２  ミキサ
８０３  発振器
８０４  ＢＰＦ
９０１  ＭＵＸ／ＤＥＭＵＸ
１００１  制御回路
１００２  演算処理部
１００３  メモリ
【図１】
2017079366.tif 000003
【図２】
2017079366.tif 000004
【図３】
2017079366.tif 000005
【図４】
2017079366.tif 000006
【図５】
2017079366.tif 000007
【図６】
2017079366.tif 000008
【図７】
2017079366.tif 000009
【図８】
2017079366.tif 000010
【図９】
2017079366.tif 000011
【図１０】
2017079366.tif 000012
【図１１】
2017079366.tif 000013